【手続補正書】
【提出日】平成16年3月24日(2004.3.24)
【手続補正１】
【補正対象書類名】明細書
【補正対象項目名】特許請求の範囲
【補正方法】変更
【補正の内容】
【特許請求の範囲】
【請求項１】
画像デ−タと設定デ−タからなる画像情報をＪＯＢとして一時的に記憶する第１の記憶手段と、前記画像情報のうちの特定の画像情報を記憶する第２の記憶手段と、前記第２の記憶手段に記憶された複数のＪＯＢから任意のＪＯＢを選択する選択手段とを有し、前記任意に選択されたＪＯＢを結合して１つの結合ＪＯＢとして、第２の記憶手段から複数のＪＯＢを読み出して第１の記憶手段に記憶せしめ、前記結合ＪＯＢを実行して画像を形成する画像形成装置において、前記設定データは、前記結合ＪＯＢの実行時においても各々のＪＯＢの設定に基づいて画像形成をおこなう活用データを含み、前記結合ＪＯＢを実行時に、前記各々のＪＯＢの前記活用データに基づいて画像形成をおこなうように制御する制御手段と、を備えたことを特徴とする画像形成装置。
【請求項２】
画像デ−タと設定デ−タからなる画像情報をＪＯＢとして一時的に記憶する第１の記憶手段と、前記画像情報のうちの特定の画像情報を記憶する第２の記憶手段と、前記第２の記憶手段に記憶された複数のＪＯＢから任意のＪＯＢを選択する選択手段とを有し、前記任意に選択されたＪＯＢを結合して１つの結合ＪＯＢとして、第２の記憶手段から複数のＪＯＢを読み出して第１の記憶手段に記憶せしめ、前記結合ＪＯＢを実行して画像を形成する画像形成装置において、前記設定データは、前記選択手段によるＪＯＢの選択の可否の判定にかかわる一致データを含み、前記一致データに基づいて、すでに選択されたＪＯＢに対して前記選択手段により選択される次のＪＯＢの結合の可否を判定する判定部と、該判定部により結合が不可と判定された場合は、次のＪＯＢの結合を禁止するように制御する制御手段と、を備えたことを特徴とする画像形成装置。
【請求項３】
画像デ−タと設定デ−タからなる画像情報をＪＯＢとして一時的に記憶する第１の記憶手段と、前記画像情報のうちの特定の画像情報を記憶する第２の記憶手段と、前記第２の記憶手段に記憶された複数のＪＯＢから任意のＪＯＢを選択する選択手段とを有し、前記任意に選択されたＪＯＢを結合して１つの結合ＪＯＢとして、第２の記憶手段から複数のＪＯＢを読み出して第１の記憶手段に記憶せしめ、前記結合ＪＯＢを実行して画像を形成する画像形成装置において、前記設定データは、前記任意に選択されたＪＯＢを結合した後、入力または変更可能な可変データを含み、前記可変データの入力または変更を行う入力手段と、前記入力手段による入力または変更に基づいて、前記結合ＪＯＢを実行するように制御する制御手段と、を備えたことを特徴とする画像形成装置。
【請求項４】
画像デ−タと設定デ−タからなる画像情報をＪＯＢとして一時的に記憶する第１の記憶手段と、前記画像情報のうちの特定の画像情報を記憶する第２の記憶手段と、前記第２の記憶手段に記憶された複数のＪＯＢから任意のＪＯＢを選択する選択手段とを有し、前記任意に選択されたＪＯＢを結合して１つの結合ＪＯＢとして、第２の記憶手段から複数のＪＯＢを読み出して第１の記憶手段に記憶せしめ、前記結合ＪＯＢを実行して画像を形成する画像形成装置において、前記設定データは、前記一致データと、前記活用データと、および、前記可変データを含み、前記一致データに基づいて、すでに選択されたＪＯＢに対して前記選択手段により選択される次のＪＯＢの結合の可否を判定する判定部と、前記可変データの入力または変更を行う入力手段と、該判定部により結合が不可と判定された場合は、次のＪＯＢの結合を禁止し、前記結合ＪＯＢを実行時に、前記各々のＪＯＢの前記活用データに基づいて画像形成をおこない、前記入力手段による入力または変更に基づいて、前記結合ＪＯＢを実行するように制御する制御手段と、を備えたことを特徴とする画像形成装置。
【請求項５】
前記制御手段による前記ＪＯＢの結合の禁止の制御は、結合を禁止するための警告を含む制御である前記請求項２または請求項４に記載の画像形成装置。
【請求項６】
前記判定部は、前記任意に選択されたＪＯＢの前記一致データが、結合されるべき別の前記任意に選択されたＪＯＢの前記一致データと一致した場合にＪＯＢの選択可と判定する前記請求項２、請求項４または請求項５に記載の画像形成装置。
【請求項７】
前記一致データは、第１一致データと第２一致データとから成り、前記判定部は、前記任意に選択されたＪＯＢと結合されるべき別の前記任意に選択されたＪＯＢのどちらにも前記第１一致データの設定が無く、かつ、前記任意に選択されたＪＯＢの前記第２一致データが、結合されるべき別の前記任意に選択されたＪＯＢの前記第２一致データと一致した場合にＪＯＢの選択可と判定する前記請求項２、請求項４または請求項５に記載の画像形成装置。
【請求項８】
前記制御手段による結合を禁止するための警告は、前記判定部が、前記任意に選択されたＪＯＢ、または、結合されるべき別の前記任意に選択されたＪＯＢのいずれかに前記第１一致データの設定ありと判定したときになされる前記請求項７に記載の画像形成装置。
【請求項９】
前記一致データは、所定の応用機能設定情報、画像サイズ情報、画像解像度情報、画像圧縮率情報の少なくともいずれか１つを有する請求項２または請求項４乃至請求項６のいずれかに記載の画像形成装置。
【請求項１０】
前記第１一致データは、所定の応用機能設定情報であり、前記第２一致データ画像サイズ情報、画像解像度情報、画像圧縮率情報の少なくともいずれか１つを有する前記請求項７または請求項８に記載の画像形成装置。
【請求項１１】
前記活用データは、片面／両面記録指定情報、給紙カセット情報、前記一致データに含まれる所定の応用機能設定情報を除く応用機能設定情報の少なくともいずれか１つを有する請求項１または請求項４に記載の画像形成装置。
【請求項１２】
前記可変データは、記録部数設定情報、記録材排出モード設定情報、前記活用データとしての前記応用機能設定情報の一部の情報の少なくともいずれか１つを有する請求項３または請求項４に記載の画像形成装置。
【請求項１３】
画像デ−タと設定デ−タからなる画像情報をＪＯＢとして一時的に記憶する第１の記憶手段と、前記画像情報のうちの特定の画像情報を記憶する第２の記憶手段と、前記第２の記憶手段に記憶された複数のＪＯＢから任意のＪＯＢを選択する選択手段とを有し、前記任意に選択されたＪＯＢの画像を結合して１つの結合ＪＯＢとして、第２の記憶手段から複数のＪＯＢを読み出して第１の記憶手段に記憶せしめ、前記結合ＪＯＢを実行して画像を形成する画像形成装置において、前記任意に選択されたＪＯＢの画像を結合した前記結合ＪＯＢの実行は、前記選択された各々のＪＯＢの設定データにかかわらず、予め用意されている設定データに従って実行されるように制御する制御手段を備えたことを特徴とする画像形成装置。
【請求項１４】
画像デ−タと設定デ−タからなる画像情報をＪＯＢとして一時的に記憶する第１の記憶手段と、前記画像情報のうちの特定の画像情報を記憶する第２の記憶手段と、前記第２の記憶手段に記憶された複数のＪＯＢから任意のＪＯＢを選択する選択手段とを有し、前記任意に選択されたＪＯＢの画像を結合して１つの結合ＪＯＢとして、第２の記憶手段から複数のＪＯＢを読み出して第１の記憶手段に記憶せしめ、前記結合ＪＯＢを実行して画像を形成する画像形成装置において、前記任意に選択されたＪＯＢの画像を結合した前記結合ＪＯＢを実行する際に、前記選択された各々のＪＯＢの設定データにかえて制御条件を指定する制御条件指定手段と、前記制御条件指定手段によって指定された制御条件に従って、前記結合ＪＯＢの実行を行う制御手段を備えたことを特徴とする画像形成装置。
【請求項１５】
画像デ−タと設定デ−タからなる画像情報をＪＯＢとして一時的に記憶する第１の記憶手段と、前記画像情報のうちの特定の画像情報を記憶する第２の記憶手段と、前記第２の記憶手段に記憶された複数のＪＯＢから任意のＪＯＢを選択する選択手段とを有し、前記任意に選択されたＪＯＢの画像を結合して１つの結合ＪＯＢとして、第２の記憶手段から複数のＪＯＢを読み出して第１の記憶手段に記憶せしめ、前記結合ＪＯＢを実行して画像を形成する画像形成装置において、前記任意に選択されたＪＯＢの画像を結合した前記結合ＪＯＢの実行は、前記選択された各々のＪＯＢのいずれかの設定データに従って実行されるように制御する制御手段を備えたことを特徴とする画像形成装置。
【請求項１６】
画像デ−タと設定デ−タからなる画像情報をＪＯＢとして一時的に記憶する第１の記憶手段と、前記画像情報のうちの特定の画像情報を記憶する第２の記憶手段と、前記第２の記憶手段に記憶された複数のＪＯＢから任意のＪＯＢを選択する選択手段とを有し、前記任意に選択されたＪＯＢの画像を結合して１つの結合ＪＯＢとして、第２の記憶手段から複数のＪＯＢを読み出して第１の記憶手段に記憶せしめ、前記結合ＪＯＢを実行して画像を形成する画像形成装置において、前記任意に選択されたＪＯＢの画像を結合した前記結合ＪＯＢの実行に際し、前記選択された各々のＪＯＢの中から、結合ＪＯＢ実行時に従う設定データを有するＪＯＢを指定する指定手段と、前記結合ＪＯＢの実行は、前記指定手段で指定されたＪＯＢの設定データに従って実行されるように制御する制御手段を備えたことを特徴とする画像形成装置。
【請求項１７】
請求項１乃至請求項１２のいずれかに記載の画像形成装置の機能を実行するＪＯＢ結合モードと、請求項１３乃至請求項１６のいずれかに記載の画像形成装置の機能を実行する画像結合モードと有し、前記ＪＯＢ結合モードと画像結合モードの選択をするモード選択手段を設けたことを特徴とする画像形成装置。
【手続補正２】
【補正対象書類名】明細書
【補正対象項目名】００１１
【補正方法】変更
【補正の内容】
【００１１】
請求項１記載の画像形成装置は、画像デ−タと設定デ−タからなる画像情報をＪＯＢとして一時的に記憶する第１の記憶手段と、前記画像情報のうちの特定の画像情報を記憶する第２の記憶手段と、前記第２の記憶手段に記憶された複数のＪＯＢから任意のＪＯＢを選択する選択手段とを有し、前記任意に選択されたＪＯＢを結合して１つの結合ＪＯＢとして、第２の記憶手段から複数のＪＯＢを読み出して第１の記憶手段に記憶せしめ、前記結合ＪＯＢを実行して画像を形成する画像形成装置において、前記設定データは、前記結合ＪＯＢの実行時においても各々のＪＯＢの設定に基づいて画像形成をおこなう活用データを含み、前記結合ＪＯＢを実行時に、前記各々のＪＯＢの前記活用データに基づいて画像形成をおこなうように制御する制御手段と、を備えたことを特徴とする。


【手続補正３】
【補正対象書類名】明細書
【補正対象項目名】００１２
【補正方法】変更
【補正の内容】
【００１２】
また、請求項２記載の画像形成装置は、画像デ−タと設定デ−タからなる画像情報をＪＯＢとして一時的に記憶する第１の記憶手段と、前記画像情報のうちの特定の画像情報を記憶する第２の記憶手段と、前記第２の記憶手段に記憶された複数のＪＯＢから任意のＪＯＢを選択する選択手段とを有し、前記任意に選択されたＪＯＢを結合して１つの結合ＪＯＢとして、第２の記憶手段から複数のＪＯＢを読み出して第１の記憶手段に記憶せしめ、前記結合ＪＯＢを実行して画像を形成する画像形成装置において、前記設定データは、前記選択手段によるＪＯＢの選択の可否の判定にかかわる一致データを含み、前記一致データに基づいて、すでに選択されたＪＯＢに対して前記選択手段により選択される次のＪＯＢの結合の可否を判定する判定部と、該判定部により結合が不可と判定された場合は、次のＪＯＢの結合を禁止するように制御する制御手段と、を備えたことを特徴とする。